(57)【要約】  システムおよび方法は、セルラー無線ネットワーク内のDC-HSUPA対応ノードから、DC-HSUPA非対応ノードへのハンドオーバを可能にする。本開示の様々な態様によれば、ハンドオーバは、レガシーサービングセル変更手順または拡張サービングセル変更手順を実装してもよい。いずれの場合も、ネットワークからユーザ機器へのシグナリングは、2つのアップリンクキャリア、および、したがって2つのアクティブセットを有するセルから、1つのアップリンクキャリア、および、したがって1つのアクティブセットを有するセルへのハンドオーバを受けるとき、ユーザ機器がアクティブセットを変更あるいは除去することを可能にするための情報を含む。
2013502172.tif 000002
【特許請求の範囲】
【請求項１】
無線ネットワークにおける通信の方法であって、
アップリンクおよびダウンリンクの各々のために第1のキャリアおよび第2のキャリアを利用する、前記無線ネットワークとの通信を確立する段階と、
第1の基準を満たす、前記無線ネットワーク内のいずれかのセルのリストを備える、第1のアクティブセットを維持する段階であって、前記第1のアクティブセットは前記第1のキャリアに対応する段階と、
第2の基準を満たす、前記無線ネットワーク内のいずれかのセルのリストを備える、第2のアクティブセットを維持する段階であって、前記第2のアクティブセットは前記第2のキャリアに対応する段階と、
ターゲットセルへのハンドオーバの後、前記第2のアクティブセットまたは前記第2のキャリアを利用しないための通知を受信する段階とを備える方法。
【請求項２】
前記ターゲットセルとの無線通信を構成するための、前記無線ネットワークからの構成情報を受信する段階と、
前記ターゲットセルが第3の基準を満たすことをレポートする段階と、
前記ターゲットセルが新しいサービングセルになるように、前記ターゲットセルへ変更する段階とをさらに備える、請求項1に記載の方法。
【請求項３】
前記第2のアクティブセットまたは前記第2のキャリアを利用しないための前記通知を受信する前記段階は、前記ターゲットセルへ変更する前記段階より前に発生する、請求項2に記載の方法。
【請求項４】
前記第1の基準は、前記第1のキャリアを利用する前記セルのそれぞれから受信された基準信号に対応する第1の閾値電力レベルを備え、前記第2の基準は、前記第2のキャリアを利用する前記セルのそれぞれから受信された基準信号に対応する第2の閾値電力レベルを備える、請求項2に記載の方法。
【請求項５】
前記第3の基準は、現在のサービングセルから受信された基準信号の測定された電力と同等と見なされる、ある電力レベルを備える、請求項4に記載の方法。
【請求項６】
前記第2のアクティブセットまたは前記第2のキャリアを利用しないための前記通知は、前記ターゲットセルが、通信セッション中に1つのキャリア周波数に限定されたアップリンクをサポートすることを示すための情報を備える、請求項1に記載の方法。
【請求項７】
前記第1のキャリアはアンカーキャリアであり、前記第2のキャリアはセカンダリキャリアである、請求項1に記載の方法。
【請求項８】
前記第1のキャリアはセカンダリキャリアであり、前記第2のキャリアはアンカーキャリアである、請求項1に記載の方法。
【請求項９】
前記第1のアクティブセットを維持する前記段階は、前記第1の基準を満たす、前記無線ネットワーク内の前記セルの各々から、ダウンリンク物理チャネルを受信する段階を備え、前記第2のアクティブセットを維持する前記段階は、前記第2の基準を満たす、前記無線ネットワーク内の前記セルの各々から、ダウンリンク物理チャネルを受信する段階を備える、請求項1に記載の方法。
【請求項１０】
前記通知は、物理層メッセージを備える、請求項1に記載の方法。
【請求項１１】
前記通知は、物理層より高い層を利用する、請求項1に記載の方法。
【請求項１２】
前記第1の基準を満たす、前記無線ネットワーク内のセルの第2のリストを含むように、前記第1のアクティブセットを変更する段階をさらに備え、前記第2のセルのリストは、前記第1の基準を満たす、前記無線ネットワーク内のいずれかのセルの前記リストとは異なる、請求項1に記載の方法。
【請求項１３】
無線ネットワークにおける通信のための装置であって、
アップリンクおよびダウンリンクの各々のために第1のキャリアおよび第2のキャリアを利用する、前記無線ネットワークとの通信を確立する手段と、
第1の基準を満たす、前記無線ネットワーク内のいずれかのセルのリストを備える、第1のアクティブセットを維持する手段であって、前記第1のアクティブセットは前記第1のキャリアに対応する手段と、
第2の基準を満たす、前記無線ネットワーク内のいずれかのセルのリストを備える、第2のアクティブセットを維持する手段であって、前記第2のアクティブセットは前記第2のキャリアに対応する手段と、
ターゲットセルへのハンドオーバの後、前記第2のアクティブセットまたは前記第2のキャリアを利用しないための通知を受信する手段とを備える装置。
【請求項１４】
前記ターゲットセルとの無線通信を構成するための、前記無線ネットワークからの構成情報を受信する手段と、
前記ターゲットセルが第3の基準を満たすことをレポートする手段と、
前記ターゲットセルが新しいサービングセルになるように、前記ターゲットセルへ変更する手段とをさらに備える、請求項13に記載の装置。
【請求項１５】
前記第2のアクティブセットまたは前記第2のキャリアを利用しないための前記通知を受信する前記手段は、前記ターゲットセルへの前記変更より前に、前記通知を受信するように構成される、請求項14に記載の装置。
【請求項１６】
前記第1の基準は、前記第1のキャリアを利用する前記セルのそれぞれから受信された基準信号に対応する第1の閾値電力レベルを備え、前記第2の基準は、前記第2のキャリアを利用する前記セルのそれぞれから受信された基準信号に対応する第2の閾値電力レベルを備える、請求項14に記載の装置。
【請求項１７】
前記第3の基準は、現在のサービングセルから受信された基準信号の測定された電力と同等と見なされる、ある電力レベルを備える、請求項16に記載の装置。
【請求項１８】
前記第2のアクティブセットまたは前記第2のキャリアを利用しないための前記通知は、前記ターゲットセルが、通信セッション中に1つのキャリア周波数に限定されたアップリンクをサポートすることを示すための情報を備える、請求項13に記載の装置。
【請求項１９】
前記第1のキャリアはアンカーキャリアであり、前記第2のキャリアはセカンダリキャリアである、請求項13に記載の装置。
【請求項２０】
前記第1のキャリアはセカンダリキャリアであり、前記第2のキャリアはアンカーキャリアである、請求項13に記載の装置。
【請求項２１】
前記第1のアクティブセットを維持する前記手段は、前記第1の基準を満たす、前記無線ネットワーク内の前記セルの各々から、ダウンリンク物理チャネルを受信する手段を備え、前記第2のアクティブセットを維持する前記手段は、前記第2の基準を満たす、前記無線ネットワーク内の前記セルの各々から、ダウンリンク物理チャネルを受信する手段を備える、請求項13に記載の装置。
【請求項２２】
前記通知は、物理層メッセージを備える、請求項13に記載の装置。
【請求項２３】
前記通知は、物理層より高い層を利用する、請求項13に記載の装置。
【請求項２４】
前記第1の基準を満たす、前記無線ネットワーク内のセルの第2のリストを含むように、前記第1のアクティブセットを変更する手段をさらに備え、前記第2のセルのリストは、前記第1の基準を満たす、前記無線ネットワーク内のいずれかのセルの前記リストとは異なる、請求項13に記載の装置。
【請求項２５】
無線ネットワークにおいて使用するためのコンピュータで実行可能なコードを備えるコンピュータプログラムであって、
アップリンクおよびダウンリンクの各々のために第1のキャリアおよび第2のキャリアを利用する、前記無線ネットワークとの通信を確立するためのコードと、
第1の基準を満たす、前記無線ネットワーク内のいずれかのセルのリストを備える、第1のアクティブセットを維持するためのコードであって、前記第1のアクティブセットは前記第1のキャリアに対応するコードと、
第2の基準を満たす、前記無線ネットワーク内のいずれかのセルのリストを備える、第2のアクティブセットを維持するためのコードであって、前記第2のアクティブセットは前記第2のキャリアに対応するコードと、
ターゲットセルへのハンドオーバの後、前記第2のアクティブセットまたは前記第2のキャリアを利用しないための通知を受信するためのコードとを備える、コンピュータプログラム。
【請求項２６】
前記ターゲットセルとの無線通信を構成するための、前記無線ネットワークからの構成情報を受信するためのコードと、
前記ターゲットセルが第3の基準を満たすことをレポートするためのコードと、
前記ターゲットセルが新しいサービングセルになるように、前記ターゲットセルへ変更するためのコードとをさらに備える、請求項25に記載のコンピュータプログラム。
【請求項２７】
前記第2のアクティブセットまたは前記第2のキャリアを利用しないための前記通知を受信するための前記コードは、前記ターゲットセルへの前記変更より前に、前記通知を受信するように構成される、請求項26に記載のコンピュータプログラム。
【請求項２８】
前記第1の基準は、前記第1のキャリアを利用する前記セルのそれぞれから受信された基準信号に対応する第1の閾値電力レベルを備え、前記第2の基準は、前記第2のキャリアを利用する前記セルのそれぞれから受信された基準信号に対応する第2の閾値電力レベルを備える、請求項26に記載のコンピュータプログラム。
【請求項２９】
前記第3の基準は、現在のサービングセルから受信された基準信号の測定された電力と同等と見なされる、ある電力レベルを備える、請求項28に記載のコンピュータプログラム。
【請求項３０】
前記第2のアクティブセットまたは前記第2のキャリアを利用しないための前記通知は、前記ターゲットセルが、通信セッション中に1つのキャリア周波数に限定されたアップリンクをサポートすることを示すための情報を備える、請求項25に記載のコンピュータプログラム。
【請求項３１】
前記第1のキャリアはアンカーキャリアであり、前記第2のキャリアはセカンダリキャリアである、請求項25に記載のコンピュータプログラム。
【請求項３２】
前記第1のキャリアはセカンダリキャリアであり、前記第2のキャリアはアンカーキャリアである、請求項25に記載のコンピュータプログラム。
【請求項３３】
前記第1のアクティブセットを維持するための前記コードは、前記第1の基準を満たす、前記無線ネットワーク内の前記セルの各々から、ダウンリンク物理チャネルを受信するためのコードを備え、前記第2のアクティブセットを維持するための前記コードは、前記第2の基準を満たす、前記無線ネットワーク内の前記セルの各々から、ダウンリンク物理チャネルを受信するためのコードを備える、請求項25に記載のコンピュータプログラム。
【請求項３４】
前記通知は、物理層メッセージを備える、請求項25に記載のコンピュータプログラム。
【請求項３５】
前記通知は、物理層より高い層を利用する、請求項25に記載のコンピュータプログラム。
【請求項３６】
前記第1の基準を満たす、前記無線ネットワーク内のセルの第2のリストを含むように、前記第1のアクティブセットを変更するためのコードをさらに備え、前記第2のセルのリストは、前記第1の基準を満たす、前記無線ネットワーク内のいずれかのセルの前記リストとは異なる、請求項25に記載のコンピュータプログラム。
【請求項３７】
無線ネットワークにおける通信のための装置であって、
少なくとも1つのプロセッサと、
前記少なくとも1つのプロセッサに結合されたメモリとを備え、
前記少なくとも1つのプロセッサは、
アップリンクおよびダウンリンクの各々のために第1のキャリアおよび第2のキャリアを利用する、前記無線ネットワークとの通信を確立し、
第1の基準を満たす、前記無線ネットワーク内のいずれかのセルのリストを備える、第1のアクティブセットを維持し、前記第1のアクティブセットは前記第1のキャリアに対応し、
第2の基準を満たす、前記無線ネットワーク内のいずれかのセルのリストを備える、第2のアクティブセットを維持し、前記第2のアクティブセットは前記第2のキャリアに対応し、
ターゲットセルへのハンドオーバの後、前記第2のアクティブセットまたは前記第2のキャリアを利用しないための通知を受信するように構成される、装置。
【請求項３８】
前記少なくとも1つのプロセッサはさらに、
前記ターゲットセルとの無線通信を構成するための、前記無線ネットワークからの構成情報を受信し、
前記ターゲットセルが第3の基準を満たすことをレポートし、
前記ターゲットセルが新しいサービングセルになるように、前記ターゲットセルへ変更するように構成される、請求項37に記載の装置。
【請求項３９】
前記第2のアクティブセットまたは前記第2のキャリアを利用しないための前記通知の前記受信は、前記ターゲットセルへの前記変更より前に発生する、請求項38に記載の装置。
【請求項４０】
前記第1の基準は、前記第1のキャリアを利用する前記セルのそれぞれから受信された基準信号に対応する第1の閾値電力レベルを備え、前記第2の基準は、前記第2のキャリアを利用する前記セルのそれぞれから受信された基準信号に対応する第2の閾値電力レベルを備える、請求項38に記載の装置。
【請求項４１】
前記第3の基準は、現在のサービングセルから受信された基準信号の測定された電力と同等と見なされる、ある電力レベルを備える、請求項40に記載の装置。
【請求項４２】
前記第2のアクティブセットまたは前記第2のキャリアを利用しないための前記通知は、前記ターゲットセルが、通信セッション中に1つのキャリア周波数に限定されたアップリンクをサポートすることを示すための情報を備える、請求項37に記載の装置。
【請求項４３】
前記第1のキャリアはアンカーキャリアであり、前記第2のキャリアはセカンダリキャリアである、請求項37に記載の装置。
【請求項４４】
前記第1のキャリアはセカンダリキャリアであり、前記第2のキャリアはアンカーキャリアである、請求項37に記載の装置。
【請求項４５】
前記第1のアクティブセットの前記維持は、前記第1の基準を満たす、前記無線ネットワーク内の前記セルの各々から、ダウンリンク物理チャネルを受信することを備え、前記第2のアクティブセットの前記維持は、前記第2の基準を満たす、前記無線ネットワーク内の前記セルの各々から、ダウンリンク物理チャネルを受信することを備える、請求項37に記載の装置。
【請求項４６】
前記通知は、物理層メッセージを備える、請求項37に記載の装置。
【請求項４７】
前記通知は、物理層より高い層を利用する、請求項37に記載の装置。
【請求項４８】
前記少なくとも1つのプロセッサはさらに、前記第1の基準を満たす、前記無線ネットワーク内のセルの第2のリストを含むように、前記第1のアクティブセットを変更するように構成され、前記第2のセルのリストは、前記第1の基準を満たす、前記無線ネットワーク内のいずれかのセルの前記リストとは異なる、請求項37に記載の装置。
【発明の詳細な説明】
【技術分野】
【０００１】
関連出願の相互参照
本出願は、その開示が参照により全体として本明細書に明示的に組み込まれている、2009年8月12日に出願した「SUPPORT FOR E-SCC WHEN UE GOES FROM DC-HSUPA CAPABLE CELL TO NON-DC-HSUPA CAPABLE CELL」という名称の米国仮特許出願第61/233,421号の権利を主張するものである。
【０００２】
本開示の態様は、一般に無線通信システムに関し、より詳細には、セルラー無線通信システム内の異なるセルタイプ間のハンドオーバに関する。
【背景技術】
【０００３】
無線通信ネットワークは広範囲に配備され、テレフォニー、ビデオ、データ、メッセージング、ブロードキャストなど、様々な通信サービスが提供されている。そのようなネットワークは通常、多元接続ネットワークであり、使用可能なネットワークリソースを共有することによって、複数のユーザのための通信をサポートする。そのようなネットワークの一例は、UMTS地上無線アクセスネットワーク(UTRAN)である。UTRANは、第3世代パートナーシッププロジェクト(3GPP)によってサポートされた第3世代(3G)携帯電話技術である、ユニバーサルモバイルテレコミュニケーションシステム(UMTS)の一部として定義された無線アクセスネットワーク(RAN)である。UMTSは、モバイル通信用グローバルシステム(GSM)(登録商標)技術の後継であり、現在は、広帯域符号分割多元接続(W-CDMA)、時分割-符号分割多元接続(TD-CDMA)、および、時分割-同期符号分割多元接続(TD-SCDMA)など、様々なエアインタフェース規格をサポートしている。UMTSはまた、関連するUMTSネットワークに対するより高速かつ大容量のデータ転送を提供する、高速パケットアクセス(HSDPA)など、拡張3Gデータ通信プロトコルをもサポートしている。
【０００４】
モバイルブロードバンドアクセスに対する需要が増し続けるにつれて、研究および開発により、モバイルブロードバンドアクセスに対する高まりつつある需要を満たすためだけでなく、モバイル通信でのユーザの体験を進歩させ、高めるために、UMTS技術は進歩し続けている。
【発明の概要】
【課題を解決するための手段】
【０００５】
システムおよび方法は、セルラー無線ネットワーク内のDC-HSUPA対応ノードから、DC-HSUPA非対応ノードへのハンドオーバを可能にする。本開示の様々な態様によれば、ハンドオーバは、レガシーサービングセル変更手順または拡張サービングセル変更手順を実装してもよい。いずれの場合も、ネットワークからユーザ機器へのシグナリングは、2つのアップリンクキャリア、および、したがって2つのアクティブセットを有するセルから、1つのアップリンクキャリア、および、したがって1つのアクティブセットを有するセルへのハンドオーバを受けるとき、ユーザ機器がアクティブセットを変更あるいは除去することを可能にするための情報を含んでもよい。
【０００６】
本開示の例示的態様では、無線ネットワークにおける通信の方法は、アップリンクおよびダウンリンクの各々のために第1のキャリアおよび第2のキャリアを利用する、無線ネットワークとの通信を確立する段階と、第1の基準を満たす、無線ネットワーク内のいずれかのセルのリストを備える、第1のアクティブセットを維持する段階であって、第1のアクティブセットは第1のキャリアに対応する段階と、第2の基準を満たす、無線ネットワーク内のいずれかのセルのリストを備える、第2のアクティブセットを維持する段階であって、第2のアクティブセットは第2のキャリアに対応する段階と、ターゲットセルへのハンドオーバの後、第2のアクティブセットまたは第2のキャリアを利用しないための通知を受信する段階とを含む。
【０００７】
本開示の別の例示的態様では、無線ネットワークにおける通信のための装置は、アップリンクおよびダウンリンクの各々のために第1のキャリアおよび第2のキャリアを利用する、無線ネットワークとの通信を確立する手段と、第1の基準を満たす、無線ネットワーク内のいずれかのセルのリストを備える、第1のアクティブセットを維持する手段であって、第1のアクティブセットは第1のキャリアに対応する手段と、第2の基準を満たす、無線ネットワーク内のいずれかのセルのリストを備える、第2のアクティブセットを維持する手段であって、第2のアクティブセットは第2のキャリアに対応する手段と、ターゲットセルへのハンドオーバの後、第2のアクティブセットまたは第2のキャリアを利用しないための通知を受信する手段とを含む。
【０００８】
本開示のさらに別の例示的態様では、無線ネットワークにおいて使用するためのコンピュータプログラム製品は、コンピュータ可読媒体を含み、コンピュータ可読媒体は、アップリンクおよびダウンリンクの各々のために第1のキャリアおよび第2のキャリアを利用する、無線ネットワークとの通信を確立するためのコードと、第1の基準を満たす、無線ネットワーク内のいずれかのセルのリストを備える、第1のアクティブセットを維持するためのコードであって、第1のアクティブセットは第1のキャリアに対応するコードと、第2の基準を満たす、無線ネットワーク内のいずれかのセルのリストを備える、第2のアクティブセットを維持するためのコードであって、第2のアクティブセットは第2のキャリアに対応するコードと、ターゲットセルへのハンドオーバの後、第2のアクティブセットまたは第2のキャリアを利用しないための通知を受信するためのコードとを備える。
【０００９】
本開示のさらに別の例示的態様では、無線ネットワークにおける通信のための装置は、少なくとも1つのプロセッサと、少なくとも1つのプロセッサに結合されたメモリとを含む。ここで、少なくとも1つのプロセッサは、アップリンクおよびダウンリンクの各々のために第1のキャリアおよび第2のキャリアを利用する、無線ネットワークとの通信を確立し、第1の基準を満たす、無線ネットワーク内のいずれかのセルのリストを備える、第1のアクティブセットを維持し、第1のアクティブセットは第1のキャリアに対応し、第2の基準を満たす、無線ネットワーク内のいずれかのセルのリストを備える、第2のアクティブセットを維持し、第2のアクティブセットは第2のキャリアに対応し、ターゲットセルへのハンドオーバの後、第2のアクティブセットまたは第2のキャリアを利用しないための通知を受信するように構成される。
【００１０】
本発明のこれらおよび他の態様は、以下の詳細な説明を検討することでより十分に理解されよう。
【図面の簡単な説明】
【００１１】
【図１】処理システムを採用する装置のためのハードウェア実装の一例を例示する図である。
【図２】遠距離通信システムの一例を概念的に例示するブロック図である。
【図３】アクセスネットワークの一例を例示する概念図である。
【図４】遠距離通信システム内でUEと通信するノードBの一例を概念的に例示するブロック図である。
【図５】シングルキャリアHSDPAシステム内のソフトハンドオーバを例示する概念図である。
【図６】デュアルキャリアDC-HSDPAシステム内のソフトハンドオーバを例示する概念図である。
【図７】レガシーサービングセル変更手順を例示する呼フロー図である。
【図８】拡張サービングセル変更手順を例示する呼フロー図である。
【図９】DC-HSUPAシステムからDC-HSUPA非対応システムへのハンドオーバのための手順を例示するフローチャートである。
【発明を実施するための形態】
【００１２】
添付の図面に関連して後述される詳細な説明は、様々な構成の説明として意図されるものであり、本明細書に記載の概念が実施されうる構成のみを表すようには意図されない。詳細な説明は、様々な概念の十分な理解を提供するために、具体的詳細を含む。しかし、これらの概念がこれらの具体的詳細なしに実施されうることは、当業者には明らかになるであろう。場合によっては、そのような概念を曖昧にすることを避けるため、周知の構造およびコンポーネントがブロック図の形式で図示される。
【００１３】
遠距離通信システムのいくつかの態様が、様々な装置および方法を参照して、これから提示される。これらの装置および方法は、以下の詳細な説明において説明され、添付の図面において、様々なブロック、モジュール、コンポーネント、回路、ステップ、処理、アルゴリズムなど(「要素」と総称される)によって例示される。これらの要素は、電子ハードウェア、コンピュータソフトウェア、またはそれらの任意の組み合わせを用いて実装されうる。そのような要素がハードウェアとして実装されるか、ソフトウェアとして実装されるかは、特定の応用例およびシステム全体に課せられた設計上の制約によって決まる。
【００１４】
図1は、処理システム114を採用する装置100のためのハードウェア実装の一例を例示する概念図である。この例では、処理システム114は、一般にバス102によって表されたバスアーキテクチャにより実装されうる。バス102は、処理システム114の具体的な応用例および全体の設計上の制約に応じて、任意の数の相互接続バスおよびブリッジを含みうる。バス102は、一般にプロセッサ104によって表される１つまたは複数のプロセッサ、および、一般にコンピュータ可読媒体106によって表されるコンピュータ可読媒体を含む、様々な回路を共にリンクさせる。バス102はまた、当技術分野で周知であり、したがってさらに説明されない、タイミングソース、周辺機器、電圧調整器、および電源管理回路など、様々な他の回路をリンクさせてもよい。バスインタフェース108は、バス102とトランシーバ110の間のインタフェースを提供する。トランシーバ110は、伝送媒体を介して様々な他の装置と通信する手段を提供する。装置の性質に応じて、ユーザインタフェース112(例えば、キーポッド、ディスプレイ、スピーカ、マイクロフォン、ジョイスティック)が提供されてもよい。
【００１５】
プロセッサ104は、バス102の管理、および、コンピュータ可読媒体106上に格納されたソフトウェアの実行を含む、一般的な処理を担う。このソフトウェアは、プロセッサ104によって実行されるとき、処理システム114に、任意の特定の装置に対して後述の様々な機能を行わせる。コンピュータ可読媒体106はまた、ソフトウェアの実行時、プロセッサ104によって操作されるデータを格納するために使用されてもよい。
【００１６】
本開示を通じて提示された様々な概念は、幅広い種類の遠距離通信システム、ネットワークアーキテクチャ、および通信規格に渡って実装されうる。例として、限定なしに、図2に例示された本開示の態様は、W-CDMAエアインタフェースを採用するUMTSシステム200を参照して提示される。UMTSネットワークは、3つのインタラクトするドメインである、コアネットワーク(CN)204、UMTS地上無線アクセスネットワーク(UTRAN)202、およびユーザ機器(UE)210を含む。この例では、UTRAN 202は、テレフォニー、ビデオ、データ、メッセージング、ブロードキャスト、および/または、他のサービスを含む、様々な無線サービスを提供する。UTRAN 202は、RNC 206など、各無線ネットワークコントローラ(RNC)をそれぞれが含む、RNS 207など、複数の無線ネットワークサブシステム(RNS)を含んでもよい。ここでは、UTRAN 202は、本明細書に例示されたRNC 206およびRNS 207に加えて、任意の数のRNC 206およびRNS 207を含んでもよい。RNC 206は、特に、RNS 207内の無線リソースの割り当て、再構成および解放を担う装置である。RNC 206は、任意の適切なトランスポートネットワークを使用して、直接物理接続、仮想ネットワークなど、様々なタイプのインタフェースを通じて、UTRAN 202内の他のRNC(不図示)に相互接続されてもよい。
【００１７】
UE 210とノードB 208の間の通信は、物理(PHY)層および媒体アクセス制御(MAC)層を含むものと見なされうる。さらに、各ノードB 208を通じたUE 210とRNC 206の間の通信は、無線リソース制御(RRC)層を含むものと見なされうる。この仕様では、PHY層はレイヤ1と見なされてもよく、MAC層はレイヤ2と見なされてもよく、RRC層はレイヤ3と見なされてもよい。以下の情報は、参照により本明細書に組み込まれた、無線リソース制御(RRC)プロトコル仕様、3GPP TS 25.331 v9.1.0において導入された専門用語を利用する。
【００１８】
RNS 207によってカバーされた地理的領域は、いくつかのセルに分割されてもよく、無線トランシーバ装置は各セルにサービスする。無線トランシーバ装置は、UMTSの応用例では一般にノードBと呼ばれるが、当業者によって、基地局(BS)、ベーストランシーバ局(BTS)、無線基地局、無線トランシーバ、トランシーバ機能、基本サービスセット(BSS)、拡張サービスセット(ESS)、アクセスポイント(AP)、またはいくつかの他の適切な専門用語で呼ばれる場合もある。また、ある応用例は、ホームノードB(HNB)、ホーム拡張ノードB(HeNB)、フェムトアクセスポイント(FAP)、アクセスポイント基地局などによってサービスされるフェムトセルを利用する場合がある。明確にするため、例示された例では、各RNS 207内に3つのノードB 208が図示されるが、RNS 207は任意の数の無線ノードBを含んでもよい。ノードB 208は、任意の数のモバイル装置のための、コアネットワーク(CN)204への無線アクセスポイントを提供する。モバイル装置の例には、携帯電話、スマートフォン、セッション初期化プロトコル(SIP)電話、ラップトップ、ノートブック、ネットブック、スマートブック、携帯情報端末(PDA)、衛星ラジオ、グローバルポジショニングシステム(GPS)デバイス、マルチメディアデバイス、ビデオデバイス、デジタルオーディオプレイヤ(例えば、MP3プレイヤ)、カメラ、ゲームコンソール、または、任意の他の類似の機能デバイスが含まれる。モバイル装置は、UMTSの応用例では一般にUEと呼ばれるが、当業者によって、移動局(MS)、加入者局、モバイルユニット、加入者ユニット、無線ユニット、リモートユニット、モバイルデバイス、無線デバイス、無線通信デバイス、リモートデバイス、モバイル加入者局、アクセス端末(AT)、モバイル端末、無線端末、リモート端末、ハンドセット、端末、ユーザエージェント、モバイルクライアント、クライアント、またはいくつかの他の適切な専門用語で呼ばれる場合もある。UMTSシステムでは、UE 210はさらに、汎用加入者識別モジュール(USIM)211を含んでもよく、USIM 211は、ネットワークに対するユーザの加入情報を含む。例示のため、1つのUE 210がいくつかのノードB 208と通信するように図示される。ダウンリンク(DL)は、フォワードリンクとも呼ばれ、ノードB 208からUE 210への通信リンクを指し、アップリンク(UL)は、リバースリンクとも呼ばれ、UE 210からノードB 208への通信リンクを指す。
【００１９】
CNドメイン204は、UTRAN 202など、１つまたは複数のアクセスネットワークとインタフェースする。図示のように、コアネットワーク204は、GSMコアネットワークである。しかし、当業者が理解するように、本開示を通じて提示された様々な概念は、GSMネットワーク以外のコアネットワークのタイプへのアクセスをUEに提供するために、RAN、または他の適切なアクセスネットワーク内で実装されうる。
【００２０】
コアネットワーク204は、回線交換(CS)ドメインおよびパケット交換(PS)ドメインを含む。回線交換要素のいくつかは、モバイルサービス交換センター(MSC)、ビジターロケーションレジスタ(VLR)およびゲートウェイMSCである。パケット交換要素には、サービングGPRSサポートノード(SGSN)およびゲートウェイGPRSサポートノード(GGSN)が含まれる。EIR、HLR、VLRおよびAuCのようないくつかのネットワーク要素は、回線交換およびパケット交換ドメインの両方によって共有されうる。例示された例では、コアネットワーク204は、MSC 212およびGMSC 214により、回線交換サービスをサポートする。いくつかの応用例では、GMSC 214は、メディアゲートウェイ(MGW)と呼ばれる場合がある。RNC 206など、1つまたは複数のRNCは、MSC 212に接続されうる。MSC 212は、呼セットアップ、呼ルーティング、およびUEモビリティ機能を制御する装置である。MSC 212はまた、UEがMSC 212のカバレッジエリア内にある間の加入者関連情報を含む、ビジターロケーションレジスタ(VLR)をも含む。GMSC 214は、UEが回線交換ネットワーク216にアクセスするために、MSC 212を通じてゲートウェイを提供する。GMSC 214は、特定のユーザが加入しているサービスの詳細を反映するデータなど、加入者データを含む、ホームロケーションレジスタ(HLR)215を含む。HLRは、加入者固有の認証データを含む、認証センター(AuC)にも関連付けられる。呼が特定のUEのために受信されるとき、GMSC 214は、HLR 215に問い合わせてUEの位置を決定し、その位置にサービスする特定のMSCに呼を転送する。
【００２１】
コアネットワーク204はまた、サービングGPRSサポートノード(SGSN)218およびゲートウェイGPRSサポートノード(GGSN)220により、パケット-データサービスをもサポートする。GPRSは、General Packet Radio Service(汎用パケット無線サービス)の略であり、標準の回線交換データサービスで使用可能な速度より高速でパケット-データサービスを提供するように設計される。GGSN 220は、UTRAN 202のための、パケットベースネットワーク222への接続を提供する。パケットベースネットワーク222は、インターネット、プライベートデータネットワーク、または、いくつかの他の適切なパケットベースネットワークであってもよい。GGSN 220の主な機能は、UE 210にパケットベースネットワーク接続性を提供することである。データパケットは、SGSN 218を通じてGGSN 220とUE 210の間で転送されてもよく、SGSN 218は主に、回線交換ドメイン内でMSC 212が行うものと同じ機能をパケットベースドメイン内で行う。
【００２２】
UMTSエアインタフェースは、スペクトル拡散の直接拡散符号分割多元接続(DS-CDMA)システムである。スペクトル拡散DS-CDMAは、チップと呼ばれる擬似ランダムビットのシーケンスによる乗法を通じて、ユーザデータを拡散させる。UMTS用のW-CDMAエアインタフェースは、そのような直接拡散スペクトル拡散技術に基づいており、加えて、周波数分割二重(FDD)を求める。FDDは、ノードB 208とUE 210の間のアップリンク(UL)およびダウンリンク(DL)のために、異なるキャリア周波数を使用する。DS-CDMAを利用し、時分割二重を使用する、UMTS用のもう1つのエアインタフェースは、TD-SCDMAエアインタフェースである。本明細書に記載の様々な例はWCDMAエアインタフェースを参照する場合があるが、基本的な原理はTD-SCDMAエアインタフェースに等しく適用可能であることは、当業者には理解されよう。
【００２３】
図3を参照すると、UTRANアーキテクチャにおけるアクセスネットワーク300が例示される。多元接続無線通信システムは、それぞれが１つまたは複数のセクタを含みうる地理的カバレッジエリア302、304および306を含む、複数のセルラー領域を含む。複数のセクタをアンテナのグループによって形成することができ、各アンテナは、カバレッジエリアの一部におけるUEとの通信を担う。例えば、カバレッジエリア302内で、アンテナグループ312、314および316はそれぞれ異なるセクタに対応してもよい。カバレッジエリア304内で、アンテナグループ318、320および322はそれぞれ異なるセクタに対応する。カバレッジエリア306内で、アンテナグループ324、326および328はそれぞれ異なるセクタに対応する。カバレッジエリア302、304および306は、例えば、各カバレッジエリア302、304または306の１つまたは複数のセクタと通信する場合のある、ユーザ機器すなわちUEなど、いくつかの無線通信デバイスを含みうる。例えば、UE 330および332はノードB 342と通信してもよく、UE 334および336はノードB 344と通信してもよく、UE 338および340はノードB 346と通信することができる。ここでは、各ノードB 342、344、346は、各カバレッジエリア302、304および306内のすべてのUE 330、332、334、336、338、340のために、コアネットワーク204(図2を参照)へのアクセスポイントを提供するように構成される。
【００２４】
UE 334がカバレッジエリア304内の例示された位置からカバレッジエリア306へ移動するにつれて、サービングセル変更(SCC)またはハンドオーバが発生する場合があり、UE 334との通信が、ソースセルと呼ばれるノードBによってサービスされうるカバレッジエリア304から、ターゲットセルと呼ばれるノードBによってサービスされうるカバレッジエリア306へ移行する。ハンドオーバ手順の管理は、UE 334で、各カバレッジエリアに対応するノードBで、無線ネットワークコントローラ206(図2を参照)で、あるいは、無線ネットワーク内の別の適切なノードで行われてもよい。例えば、ソースセル304との通話中、あるいは任意の他の時間に、UE 334は、ソースセル304の様々なパラメータ、ならびに、カバレッジエリア306および302に対応するノードBによってサービスされるものなど、隣接セルの様々なパラメータを監視してもよい。さらに、これらのパラメータの品質に応じて、UE 334は、隣接セルのうち１つまたは複数との通信を維持してもよい。この時間中、UE 334は、アクティブセット、すなわち、UE 334が同時に接続される隣接セルのリストを維持してもよい(すなわち、現在、ダウンリンク個別物理チャネルDPCHまたは部分ダウンリンク個別物理チャネルF-DPCHをUE 334に割り当て中であるUTRAノードBが、アクティブセットを構成してよい)。
【００２５】
アクセスネットワーク300によって採用される変調および多元接続方式は、展開されている特定の遠距離通信規格に応じて変わる場合がある。例として、この規格には、エボリューションデータオプティマイズド(EV-DO)またはウルトラモバイルブロードバンド(UMB)が含まれうる。EV-DOおよびUMBは、CDMA2000ファミリの規格の一部として、第3世代パートナーシッププロジェクト2(3GPP2)によって広められたエアインタフェース規格であり、ブロードバンドインターネットアクセスを移動局に提供するために、CDMAを採用する。この規格は、別法として、広帯域CDMA(W-CDMA)と、TD-SCDMAなど、CDMAの他の変形とを採用するユニバーサル地上無線アクセス(UTRA)、TDMAを採用するモバイル通信用グローバルシステム(GSM)、および、進化型UTRA(E-UTRA)、ウルトラモバイルブロードバンド(UMB)、IEEE 802.11(Wi-Fi)、IEEE 802.16(WiMAX)、IEEE 802.20、および、OFDMAを採用するフラッシュOFDMであってもよい。UTRA、E-UTRA、UMTS、LTE、LTEアドバンスト、およびGSMについては、3GPP組織による文書に記載されている。CDMA2000およびUMBについては、3GPP2組織による文書に記載されている。採用される実際の無線通信規格および多元接続技術は、具体的な応用例およびシステムに課せられた全体の設計上の制約によって決まる。
【００２６】
図4は、UE 450と通信するノードB 410のブロック図であり、ノードB 410は、図2のノードB 208であってもよく、UE 450は、図2のUE 210であってもよい。ダウンリンク通信では、送信プロセッサ420は、データソース412からのデータ、および、コントローラ/プロセッサ440からの制御信号を受信してもよい。送信プロセッサ420は、データおよび制御信号、ならびに基準信号(例えば、パイロット信号)のための様々な信号処理機能を提供する。例えば、送信プロセッサ420は、誤り検出用の巡回冗長検査(CRC)符号、順方向誤り訂正(FEC)を容易にするための符号化およびインタリーブ、様々な変調方式(例えば、二位相偏移変調(BPSK)、四位相偏移変調(QPSK)、M位相偏移変調(M-PSK)、M直交振幅変調(M-QAM)など)に基づく信号配列へのマッピング、直交可変拡散率(OVSF)による拡散、および、一連のシンボルを生じるためのスクランブリングコードによる乗算を提供してもよい。チャネルプロセッサ444からのチャネル推定値は、送信プロセッサ420のための符号化、変調、拡散および/またはスクランブリング方式を決定するために、コントローラ/プロセッサ440によって使用されうる。これらのチャネル推定値は、UE 450によって送信された基準信号から、あるいは、UE 450からのフィードバックから導出されうる。送信プロセッサ420によって生成されたシンボルは、送信フレームプロセッサ430に提供されて、フレーム構造が作成される。送信フレームプロセッサ430は、コントローラ/プロセッサ440からの情報によりシンボルを多重化することによって、このフレーム構造を作成し、結果として一連のフレームとなる。これらのフレームは次いで送信器432に提供され、送信器432は、アンテナ434を通じ、無線媒体を介したダウンリンク送信のためのキャリア上に、フレームを増幅、フィルタリングおよび変調することを含む、様々な信号調整機能を提供する。アンテナ434は、１つまたは複数のアンテナを含んでもよく、例えば、ビームステアリング双方向適応アンテナアレイまたは他の類似のビーム技術が含まれる。
【００２７】
UE 450で、受信器454は、アンテナ452を通じてダウンリンク送信を受信し、この送信を処理して、キャリア上に変調された情報を回復する。受信器454によって回復された情報は、受信フレームプロセッサ460に提供され、受信フレームプロセッサ460は、各フレームを解析し、フレームからの情報をチャネルプロセッサ494に提供し、データ、制御および基準信号を受信プロセッサ470に提供する。受信プロセッサ470は次いで、ノードB 410において送信プロセッサ420によって行われた処理の逆を行う。より具体的には、受信プロセッサ470は、シンボルをデスクランブルかつ逆拡散(despreads)し、次いで、変調方式に基づいて、ノードB 410によって送信された可能性が最も高い信号配列ポイントを決定する。これらの軟判定は、チャネルプロセッサ494によって計算されたチャネル推定値に基づいてもよい。軟判定は次いで、復号かつデインタリーブされて、データ、制御および基準信号が回復される。CRC符号が次いで検査されて、フレームの復号が成功したかどうかが決定される。復号が成功したフレームによって搬送されたデータは次いで、データシンク472に提供されるようになり、データシンク472は、UE 450において実行中のアプリケーション、および/または、様々なユーザインタフェース(例えば、ディスプレイ)を表す。復号が成功したフレームによって搬送された制御信号は、コントローラ/プロセッサ490に提供されるようになる。受信プロセッサ470によってフレームの復号が不成功となるとき、コントローラ/プロセッサ490はまた、肯定応答(ACK)および/または否定応答(NACK)プロトコルを使用して、それらのフレームのための再送信要求をサポートしてもよい。
【００２８】
アップリンクでは、データソース478からのデータ、および、コントローラ/プロセッサ490からの制御信号が、送信プロセッサ480に提供される。データソース478は、UE 450において実行中のアプリケーション、および、様々なユーザインタフェース(例えば、キーボード)を表してもよい。ノードB 410によるダウンリンク送信に関連して記載された機能性に類似して、送信プロセッサ480は、CRC符号、FECを容易にするための符号化およびインタリーブ、信号配列へのマッピング、OVSFによる拡散、および、一連のシンボルを生じるためのスクランブリングを含む、様々な信号処理機能を提供する。ノードB 410によって送信された基準信号から、あるいは、ノードB 410によって送信されたミッドアンブルに含まれたフィードバックから、チャネルプロセッサ494によって導出されたチャネル推定値は、適切な符号化、変調、拡散および/またはスクランブリング方式を選択するために使用されうる。送信プロセッサ480によって生じたシンボルは、送信フレームプロセッサ482に提供されて、フレーム構造が作成されるようになる。送信フレームプロセッサ482は、コントローラ/プロセッサ490からの情報によりシンボルを多重化することによって、このフレーム構造を作成し、結果として一連のフレームとなる。これらのフレームは次いで送信器456に提供され、送信器456は、アンテナ452を通じ、無線媒体を介したアップリンク送信のためのキャリア上に、フレームを増幅、フィルタリングおよび変調することを含む、様々な信号調整機能を提供する。
【００２９】
アップリンク送信は、UE 450での受信器機能に関連して記載された方法と類似の方法で、ノードB 410で処理される。受信器435は、アンテナ434を通じてアップリンク送信を受信し、この送信を処理して、キャリア上に変調された情報を回復する。受信器435によって回復された情報は、受信フレームプロセッサ436に提供され、受信フレームプロセッサ436は、各フレームを解析し、フレームからの情報をチャネルプロセッサ444に提供し、データ、制御および基準信号を受信プロセッサ438に提供する。受信プロセッサ438は、UE 450において送信プロセッサ480によって行われた処理の逆を行う。復号が成功したフレームによって搬送されたデータおよび制御信号は次いで、データシンク439およびコントローラ/プロセッサにそれぞれ提供されてもよい。受信プロセッサによってフレームの一部の復号が不成功となった場合、コントローラ/プロセッサ440はまた、ACKおよび/またはNACKプロトコルを使用して、それらのフレームのための再送信要求をサポートしてもよい。
【００３０】
コントローラ/プロセッサ440および490は、ノードB 410およびUE 450での動作をそれぞれ指図するために使用されうる。例えば、コントローラ/プロセッサ440および490は、タイミング、周辺機器インタフェース、電圧調整、電源管理および他の制御機能を含む、様々な機能を提供してもよい。メモリ442および492のコンピュータ可読媒体は、ノードB 410およびUE 450のためのデータおよびソフトウェアをそれぞれ格納してもよい。ノードB 410のスケジューラ/プロセッサ446は、リソースをUEに割り振るため、かつ、UEのためのダウンリンクおよび/またはアップリンク送信をスケジュールするために使用されうる。
【００３１】
様々なセルラー無線通信システムは、ソフトハンドオーバと呼ばれることが多い、メークビフォーブレークのサービングセル変更(SCC)を利用してもよい。ソフトハンドオーバ中に、UEは、ソースセルとの接続を切断する前にターゲットセルとの通信を確立する。図5は、シングルキャリアシステム(すなわち、キャリア周波数f1のみを使用する)におけるソースセル504とターゲットセル506の間のソフトハンドオーバに携わるUE 502を例示する。図示において、ソースセル504はサービングセルであり、ソースセル504がUEに、高速データチャネル514を含む、ダウンリンクを提供中であることを意味する。さらに、ソースセル504およびターゲット506セルは共に、送信電力制御(TPC)情報508、510を適切なチャネル上でUE 502に提供する。UE 502からのアップリンク512は、ソースセル504およびターゲットセル506の両方によって復号される。ここでは、UE 502がソフトハンドオーバ中である間、HSDPAチャネル514はサービングセル504によってのみ提供される。
【００３２】
3GPPファミリの規格のリリース8では、他の改善の中でも、デュアルキャリア(DC-HSDPA)を可能にするために、HSDPA通信用のダウンリンクが明記された。図6は、DC-HSDPAシステム内のソースセル604とターゲットセル606の間のソフトハンドオーバに携わるUE 602を例示する。図5におけるように、UE 602は、ソースセル604およびターゲットセル606によって復号中であるアップリンク612を送信中であり、ソースおよびターゲットセルは、TPC情報608、610を適切なダウンリンクチャネル上でUE 602にそれぞれ提供する。また、ソースセルすなわちサービングセル604は、そのダウンリンクのうち1つを高速データチャネル614上で提供する。これらの信号の各々、すなわち、アップリンク612、ダウンリンクTPC情報608、610、および、ダウンリンクデータ614は、(周波数分割二重システムを仮定すると)各アップリンクおよびダウンリンク送信のための適切な二重距離(duplex distance)だけ分離された、第1のキャリア周波数f1を共有する。加えて、サービングセル604は、第2のダウンリンクストリーム616を第2のキャリア周波数f2上で提供する。以下、「アンカーキャリア」および「プライマリキャリア」、ならびに、「補助キャリア」および「セカンダリキャリア」という専門用語は、それぞれ入れ替え可能に使用される。「第1のキャリア」(または「第2のキャリア」)は、アンカーキャリアまたはセカンダリキャリアであってもよい。マルチキャリア動作では、複数の補助キャリアまたはセカンダリキャリアが存在してもよい。アップリンクおよびダウンリンクによって共有される第1のキャリアf1は、アンカーキャリアと呼ばれることが多いが、サービングセル604からのダウンリンク616を提供する第2のキャリアf2は、セカンダリキャリアと呼ばれることが多い。第2のキャリアf2上にアップリンクチャネルがないので、UE 602は一般に、第2のキャリアのためのアクティブセットを維持せず、第1のキャリアのためのアクティブセットを維持するのみである。ここでは、前の例のように、UE 602がソフトハンドオーバ中である間、(ここでは、2つのHSDPAキャリア上の)すべてのダウンリンクデータは、サービングセル604によってのみ提供される。
【００３３】
図7は、本明細書で「レガシー」サービングセル変更(SCC)と呼ばれる、シングルキャリアシステム内、かつ、デュアルキャリアシステム内で利用されうる、ソフトハンドオーバ処理を例示する呼フロー図である。例示を容易にするため、この例示は各ノード間のすべてのシグナリングを示すのではなく、各ノード間で送信されたあるメッセージのみを示すことは、当業者には理解されよう。
【００３４】
上述のように、UE 702は、サービングセル704および１つまたは複数の隣接セルのあるパラメータおよび特性を監視してもよい。FDDシステムのための一例として、UE 702は、各セルのパイロット信号電力を監視してもよい。隣接セルの1つ、すなわち、セル2・706が、閾値を上回るかあるいはあるレポート範囲に達する(例えば、サービングセル704のパイロット信号強度の約XdB内に達する)パイロット信号電力を有するとき、UE 702は、「イベント1a」の通知を含む、測定レポートメッセージと呼ばれることが多いRRCメッセージ710(すなわち、レイヤ3メッセージ)を提供してもよい。RNC 708は次いで、RRCアクティブセット更新メッセージ712により、測定レポートメッセージ710に応答し、UE 702に、セル2・706をそのアクティブセットに追加するように命令する。
【００３５】
後に、セル2・706のパイロット信号電力がセル1・704のパイロット信号電力を上回ることを、UE 702が検出する場合、そのとき、UE 702は、「イベント1d」の通知を含む第2のRRC測定レポートメッセージ714を提供してもよい。RNC 708は次いで、ターゲットセルとも呼ばれるセル2・706との接続をセットアップするための構成情報を含む、RRCトランスポートチャネル再構成要求メッセージ(または他の類似のメッセージ)716により、測定レポートメッセージ714に応答してもよい。ハンドオーバが完了した後、セル2・706は、サービングセルと呼ばれる。なお、RNC 708からUE 702に提供された上記信号(すなわち、アクティブセット更新メッセージ712およびトランスポートチャネル再構成要求メッセージ716)の各々は、ソースセル、すなわち、セル1・704からのダウンリンクを利用して提供される。
【００３６】
場合によっては、UEがあるセルから別のセルへと急速に移動中であるときなど、サービングセルからの信号品質はあまりにも急速に低下する場合があり、処理および/または送信遅延は通話途切れの結果となりうる。すなわち、上述の図7に例示されたレガシーSCC手順を利用すると、セル1・704からの信号品質があまりに急速に低下する場合、UE 702は、RRCトランスポートチャネル再構成要求メッセージ716を、セル1・704からのダウンリンク上で受信しない場合がある。ここでは、このメッセージが、セル2・706との通信のセットアップに関連する同期および他の情報を含んでいたので、UE 702はこの情報を欠き、セル1・704との接続が失われる前にセル2・706との接続を確立することができず、通話途切れの結果となる。
【００３７】
よって、リリース8で提供されたもう1つの強化は、拡張サービングセル変更(E-SCC)であった。要するに、E-SCCは、UEがあるセルから別のセルへと急速に移動中である状況の間の通話途切れを減らす、改善されたソフトハンドオーバ手順である。図8は、図5または6のいずれか1つで例示されたようなFDD HSDPAまたはDC-HSDPAシステム内のソフトハンドオーバ処理を例示する呼フロー図である。図7に例示されたシナリオのように、ここでは、隣接セル、すなわち、セル2・806が、閾値を上回るパイロット信号電力を有するとき、UE 802は、イベント1aの通知を含むRRC測定レポートメッセージ810を提供してもよい。RNC 808は次いで、RRCアクティブセット更新メッセージ812により、測定レポートメッセージ810に応答してもよい。しかし、ここでは、RRCアクティブセット更新メッセージ812は、セル2・806に関連する事前構成情報を含み、この事前構成情報を、UE 802が次いで、セル2・806が後にそのUE 802のためのサービングセルになる場合に利用するために、格納してもよい。このとき、セル2・806のパイロット信号電力がセル1・804のパイロット信号電力を上回る場合、そのとき、UE 802は、イベント1dの通知を含む、第2のRRC測定レポートメッセージ814を提供してもよい。測定レポートメッセージ814に応答して、RNC 808は次いで、セル2・806に対して、一例では単に単一ビットの情報であってもよい物理(PHY)層指示816を送信するように命令して、UE 802に対してそのサービングセルをターゲットセル、すなわち、セル2・806に変更するように命令してもよい。UE 802によって既に受信されたRRCアクティブセット更新メッセージ812は、セル2・806に関連する必要とされた情報を含んでいたので、UE 802は、ハンドオーバを完了するために、セル1・804からのいかなるさらなる送信(RRCメッセージなど)も必要としない。これが基本的に、セル1・804からの信号が大変急速に落ちるシナリオにおいて、E-SCCがハンドオーバをどのように改善するかということである。
【００３８】
先へ進むと、3GPPファミリの規格のリリース9では、以前のように高速ダウンリンク、ならびに高速アップリンク(DC-HSUPA)の両方のために、デュアルキャリアが提供された。リリース9の前では、DC-HSDPAにおけるソフトハンドオーバ中に、図6に例示されたように、第1のキャリアf1は、図5のシングルキャリアソフトハンドオーバの方式と同じ方式をアップリンクおよびダウンリンクにおいて利用したが、第2のキャリアf2は、サービングセル604からのダウンリンクチャネル616のみを提供した。しかし、リリース9対応DC-HSUPAシステムでは、第2のキャリアf2は、ソースセルおよびターゲットセルからのダウンリンクチャネルのTPC情報、および、第2のダウンリンクから二重距離だけ分離されたアップリンクチャネルを含む、第1のキャリアf1の方式と同じ方式をアップリンクおよびダウンリンクにおいて利用する。よって、DC-HSUPAシステムでは、アクティブセットは、第1のキャリアf1および第2のキャリアf2の各々のために、UE内で維持される。
【００３９】
ネットワークがリリース8のシステムからリリース9のシステムへアップグレードされるにつれて、サービスエリア内のいくつかのノードBはリリース9にアップグレードされるようになるが、同じサービスエリア内の他のノードBはリリース8のユニットのまま残るようになるということは、実際には不可避である。よって、UEがそのようなネットワークを利用中であるとき、リリース9のノードBからリリース8のノードBへの、およびその逆のハンドオーバが発生することは避けられない。このシナリオの問題は、UEから2つの高速アップリンクキャリアを受け入れるように構成されたソースセルによってサービスされたUEが、それぞれ各キャリア周波数を利用する隣接セルに対応する2つのアクティブセットを維持する状況に関連する。UEとの通信セッション中に1つのアップリンクキャリア周波数をサポートすることに限定される、リリース8のセルへのサービングセル変更をUEが受けるとき、UEはアクティブセットの両方を必要とするのではない場合がある。すなわち、リリース8のセルがサービングセルであるとき、UEは、アンカーまたはプライマリキャリア周波数に対応する1つのアクティブセットを維持するのみであり、セカンダリダウンリンクキャリアに対応するアクティブセットを維持しない。ここでは、生じる問題は、拡張サービングセル変更(E-SCC)に関連する。すなわち、E-SCCがリリース8の仕様で定義されたとき、DC-HSUPAはまだ導入されていなかったので、複数のアクティブセットの維持は企図されなかった。よって、セカンダリキャリアに対応するアクティブセットの除去に関連するシグナリングは、予め定義されなかった。
【００４０】
本開示の一態様によれば、レガシーSCCの場合、図7に例示されるように、RRCトランスポートチャネル再構成要求メッセージはさらに、セル2がリリース9対応セルではないことを示す情報、および/または、UEが、2つのキャリアの一方に対応するアクティブセットを除去することを可能にするための情報を含んでもよい。
【００４１】
本開示の別の態様によれば、E-SCCの場合、図8に例示されるように、セル2に対応する事前構成情報を含むRRCアクティブセット更新メッセージはさらに、セル2がリリース9対応セルではないことを示す情報、および/または、UEが、2つのキャリアの一方に対応するアクティブセットを除去することを可能にするための情報を含んでもよい。
【００４２】
図9は、本開示のある態様による、リリース9対応DC-HSUPAセルからリリース8のDC-HSDPAセルへのハンドオーバを行う例示的処理を例示するフローチャートである。この図では、左側のブロックは、レガシーSCCを利用するときの一連の動作を表し、右側のブロックは、E-SCCを利用するときの一連の動作を表す。本開示のいくつかの態様では、図9に例示された処理は、図1に例示されたものなど、処理システム114によって行われてもよい。本開示のいくつかの態様では、図9に例示された処理は、図2に例示されたものなど、UMTSシステム200内の複数のノードB 208および少なくとも1つのRNC 206と通信するUE 210によって行われてもよい。本開示のいくつかの態様では、図9に例示された処理の様々なステップは、図4に例示されたような、UE 450の受信器454、送信器456、プロセッサ460、470、494、490、482および480、およびメモリ492、ならびに、ノードB 410の対応するコンポーネントの組み合わせによって行われてもよい。後述の機能を行うための他の適切な手段もまた、本開示の範囲内で利用されうることは、当業者には理解されよう。
【００４３】
ここでは、例示された例示的処理は、(FDDシステムにおける)UEが無線ネットワーク内でサービングセルとしてノードBを利用することにより開始する。ブロック902で、処理は、サービングセルの様々なパラメータ、ならびに、隣接セルの様々なパラメータを監視あるいは測定する。例えば、UEは、受信器454およびチャネルプロセッサ494(図4を参照)を利用して、UEのほぼ近くにある１つまたは複数のセルに対応する共通パイロットチャネルCPICHのパイロット信号電力を測定してもよい。904で、便宜上、セルnと呼ばれる、隣接セルの1つが、サービングセルから提供された信号の対応する品質に近づきつつある、ある信号品質を有し始めることを、UEが検出するとき、次いでブロック906で、UEは、各セルからの信号がレポート範囲内である(すなわち、イベント1a)という指示を含む測定レポートメッセージを、アップリンク上で提供してもよい。
【００４４】
システムがレガシーSCCを利用する場合、次いで、906でのUEからの測定レポートメッセージの送信に続いて、システムは、908で、UEが対応するセルをそのアクティブセットに追加するべきであることを示す、RNCからUEへのアクティブセット更新メッセージを提供することによって、イベント1a指示に応答する。しかし、システムがE-SCCを利用する場合、次いで、906でのUEからの測定レポートメッセージの送信に続いて、システムは、910で、UEが対応するセルをそのアクティブセットに追加するべきであることを示す、RNCからUEへのアクティブセット更新メッセージ、ならびに、そのセルが将来サービングセルになる場合に、UEが対応するセルを利用することを可能にするための事前構成情報を提供することによって、イベント1a指示に応答する。さらに、ブロック912で、処理は、UEがそのアクティブセットを変更すること、および/または、アクティブセットのうち1つを追加あるいは除去することを可能にするための情報を提供する。例えば、RNCは、第2の周波数がターゲットセル内で構成されないことをUEに通知して、対応するセルがDC-HSUPA対応ではないこと、または、RNCが対応するセル内でDC-HSUPAを構成することを望まないことを、UEが承知するようにしてもよい。この場合、UEは、1つのアクティブセットを利用するのみでもよい。さらに、RNCは、ターゲットセルが１つまたは複数の追加の周波数を使用することをUEに通知して、UEが対応する1つまたは複数のアクティブセットを追加可能であるようにしてもよい。よって、一般に、本開示の様々な態様によれば、任意の数の無線リンクをターゲットセルによって使用してもよく、UEは、UEからのすべてのアクティブセットの除去を含む、対応する数のアクティブセットの追加または除去を行ってもよい。さらに、１つまたは複数のアクティブセットが追加されるとき、あるいは、１つまたは複数の、しかし、すべてではないアクティブセットがUEで除去されるとき、１つまたは複数の残りのアクティブセットは変更されうる。すなわち、本開示の一態様では、１つまたは複数のアクティブセットの追加または除去に付随して、残りのアクティブセットにおいてリストされたセルが追加かつ/または除去されてもよく、サービングセルなど、アク
ティブセット内のセルの位置もまた変更されうる。
【００４５】
ネットワークからのメッセージングに続いて、ブロック914で、処理は、UEで、サービングセルおよび隣接セルの様々なパラメータを監視あるいは測定する。ブロック916で、処理は、対応するターゲットセルnからのパイロット信号CPICHの信号電力など、ターゲットセルのある信号品質が、サービングセルの対応する信号品質より大きいと決定する。この場合、ブロック918で、処理は、イベント1dのインジケータを有する測定レポートメッセージを含む、UEからRNCへのメッセージを提供する。
【００４６】
システムがレガシーSCCを利用する場合、次いで、918でのUEからの測定レポートメッセージの送信に続いて、システムは、920で、ターゲットセルがサービングセルになった後、対応するセルをUEが利用することを可能にするための構成情報を含む、トランスポートチャネル再構成要求、または、無線ベアラ再構成メッセージもしくは物理チャネル再構成メッセージなど、他の類似のRRCメッセージを提供することによって、イベント1d指示に応答する。さらに、ブロック922で、処理は、UEがそのアクティブセットを変更するか、あるいはアクティブセットのうち1つを除去することを可能にするための情報を提供する。例えば、RNCは、第2の周波数が対応するセル内で構成されないことをUEに通知して、対応するセルがDC-HSUPA対応ではなく、1つのアクティブセットを利用するのみであることをUEが承知するようにしてもよい。しかし、システムがE-SCCを利用する場合、次いで、918でのUEからの測定レポートメッセージの送信に続いて、システムは、924で、ターゲットセルから無線で物理層インジケータを提供して、UEがターゲットセルへ変更することを指示することによって、イベント1d指示に応答する。ここでは、UEは、ブロック910で、E-SCCシグナリングの一部として、事前構成情報を受信しており、ブロック912で、UEがそのアクティブセットを変更するか、あるいは、アクティブセットのうち1つを除去することを可能にするための情報を、さらに受信した。よって、924で物理層インジケータを提供することは、サービングセル変更をトリガするために十分である。よって、ブロック926で、処理は、ターゲットセルをその新しいサービングセルとして利用するように、UEを変更する。
【００４７】
遠距離通信システムのいくつかの態様が、FDD W-CDMAシステムを参照して提示された。当業者には容易に理解されるように、本開示を通じて記載された様々な態様は、他の遠距離通信システム、ネットワークアーキテクチャおよび通信規格にまで拡張されうる。例として、様々な態様は、TD-SCDMA、高速ダウンリンクパケットアクセス(HSDPA)、高速アップリンクパケットアクセス(HSUPA)、高速パケットアクセスプラス(HSPA+)およびTD-CDMAなど、他のUMTSシステムにまで拡張されうる。様々な態様はまた、ロングタームエボリューション(LTE)(FDD、TDD、または両方のモードによる)、LTEアドバンスト(LTE-A)(FDD、TDD、または両方のモードによる)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、超広帯域(UWB)、Bluetooth（登録商標）、および/または、他の適切なシステムを採用するシステムにまで拡張されうる。採用される実際の遠距離通信規格、ネットワークアーキテクチャ、および/または通信規格は、具体的な応用例およびシステムに課せられた全体の設計上の制約によって決まる。
【００４８】
いくつかのプロセッサが、様々な装置および方法に関連して記載された。これらのプロセッサは、コンピュータソフトウェア、電子ハードウェアなど様々な電気コンポーネント、またはそれらの任意の組み合わせを使用して実装されうる。そのようなプロセッサがハードウェアとして実装されるか、ソフトウェアとして実装されるかは、特定の応用例およびシステムに課せられた全体の設計上の制約によって決まる。例として、本開示で提示されたプロセッサ、プロセッサの任意の部分、または、複数のプロセッサの任意の組み合わせは、本開示を通じて記載された様々な機能を行うように構成された、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲートロジック、個別のハードウェア回路、および、他の適切な処理コンポーネントにより、実装されうる。本開示で提示されたプロセッサ、プロセッサの任意の部分、または、複数のプロセッサの任意の組み合わせの機能性は、ソフトウェアがマイクロプロセッサ、マイクロコントローラ、DSP、または他の適切なプラットフォームによって実行されることにより、実装されうる。
【００４９】
本開示の１つまたは複数の態様では、記載された機能は、ハードウェア、ソフトウェア、ファームウェア、またはそれらの任意の組み合わせにおいて実装されてもよい。ソフトウェアで実装される場合、これらの機能は、コンピュータ可読媒体上の1つまたは複数の命令またはコード上で格納あるいは送信されてもよい。コンピュータ可読媒体は、一時的であっても非一時的であってもよく、コンピュータ記憶媒体および通信媒体が共に含まれ、通信媒体には、ある場所から別の場所へのコンピュータプログラムの転送を容易にする任意の媒体が含まれてもよい。記憶媒体は、汎用または専用コンピュータによってアクセス可能な任意の使用可能な媒体であってもよい。例として、限定ではなく、このような非一時的コンピュータ可読媒体には、RAM、ROM、EEPROM、CD-ROMもしくは他の光ディスク記憶装置、磁気ディスク記憶装置もしくは他の磁気記憶装置、または、所望のプログラムコード手段を命令もしくはデータ構造の形式で搬送あるいは格納するために使用可能であり、かつ、汎用もしくは専用コンピュータ、または、汎用もしくは専用プロセッサによってアクセス可能である、任意の他の媒体が含まれうる。また、いかなる接続も、適切にコンピュータ可読媒体と称される。例えば、ソフトウェアが、ウェブサイト、サーバまたは他の遠隔ソースから、同軸ケーブル、光ファイバケーブル、ツイストペア、デジタル加入者線(DSL)、または、赤外線、無線およびマイクロ波などの無線技術を使用して送信される場合、この同軸ケーブル、光ファイバケーブル、ツイストペア、DSL、または、赤外線、無線およびマイクロ波などの無線技術は、媒体の定義に含まれた一時的エンティティである。本明細書で使用されるような、ディスク(disk)およびディスク(disc)には、コンパクトディスク(CD)、レーザディスク、光ディスク、デジタル多用途ディスク(DVD)、フレキシブルディスクおよびブルーレイディスクが含まれ、ただし、ディスク(disk)は通常、データを磁気的に再生するが、ディスク(disc)はデータをレーザにより光学的に再生する。上記の組み合わせもまた、コンピュータ可読媒体の範囲内に含まれるべきである。コンピュータ可読媒体は、コンピュータプログラム製品において実施されてもよい。例として、限定なしに、コンピュータ
プログラム製品は、パッケージング材料においてコンピュータ可読媒体を含んでもよい。特定の応用例およびシステム全体に課せられた全体の設計上の制約に応じて、本開示を通じて提示された上記の機能性を実装する最良の方法は、当業者には理解されよう。
【００５０】
開示された方法におけるステップの特定の順序または階層は、例示的処理の例示であることを理解されたい。設計の選好に基づいて、方法におけるステップの特定の順序または階層の配列を変えてもよいことを理解されたい。添付の方法請求項は、様々なステップの要素をサンプルの順序で提示するものであり、本明細書で特に記載されない限り、提示された特定の順序または階層に限定されるものではない。
【００５１】
前述の説明は、本明細書に記載の様々な態様を当業者が実施することを可能にするために提供される。これらの態様に対する様々な修正は当業者には容易に明らかとなり、本明細書に定義された一般的な原理は他の態様に適用可能である。このように、特許請求の範囲は、本明細書に示された態様に限定されるようには意図されておらず、特許請求の範囲の文言と整合する全範囲に一致させられるべきであり、単数形の要素への参照は、特にそのように記載しない限り、「唯一」を意味するようには意図されておらず、「1つまたは複数」を意味するように意図されている。特にそうでないと記載されない限り、「いくつか(some)」という語は、１つまたは複数を指す。項目のリスト「のうち少なくとも1つ(at least one of)」に言及する句は、単一の部材を含む、それらの項目の任意の組み合わせを指す。一例として、「a、bまたはcのうち少なくとも1つ」は、aと、bと、cと、aおよびbと、aおよびcと、bおよびcと、a、bおよびcとを包含するように意図されている。当業者に知られている、あるいは後に知られるようになる、本開示を通じて記載された様々な態様の要素の構造的および機能的な均等物のすべては、参照により本明細書に明示的に組み込まれ、特許請求の範囲によって包含されるように意図されている。また、本明細書で開示されたものは、このような開示が特許請求の範囲内で明示的に記載されているかどうかに関わらず、公に捧げられるように意図されていない。請求項の要素は、「する手段(means for)」という句を用いて明示的にその要素が記載されない限り、あるいは、方法請求項の場合、「するステップ(step for)」という句を用いてその要素が記載されない限り、35 U.S.C. 112条第6項の規定により解釈されるべきではない。
【符号の説明】
【００５２】
100  装置
102  バス
104  プロセッサ
106  コンピュータ可読媒体
108  バスインタフェース
110  トランシーバ
112  ユーザインタフェース
114  処理システム
200  UMTSシステム
202  UMTS地上無線アクセスネットワーク(UTRAN)
204  コアネットワーク(CN)
206、708、808  無線ネットワークコントローラ(RNC)RNC
207  無線ネットワークサブシステム(RNS)
208、342、344、346、410  ノードB
210、330、332、334、336、338、340、450、502、602、702、802  ユーザ機器(UE)
211  汎用加入者識別モジュール(USIM)
212  MSC
214  GMSC
215  ホームロケーションレジスタ(HLR)
216  回線交換ネットワーク
218  サービングGPRSサポートノード(SGSN)
220  ゲートウェイGPRSサポートノード(GGSN)
222  パケットベースネットワーク
300  アクセスネットワーク
302、304、306  カバレッジエリア
312、314、316、318、320、322、324、326、328  アンテナグループ
412、478  データソース
420、480  送信プロセッサ
430、482  送信フレームプロセッサ
432、456  送信器
434、452  アンテナ
435、454  受信器
436、460  受信フレームプロセッサ
438、470  受信プロセッサ
439、472  データシンク
440、490  コントローラ/プロセッサ
442、492  メモリ
444、494  チャネルプロセッサ
446  スケジューラ/プロセッサ
504、604  ソースセル、サービングセル
506、606  ターゲットセル
508、510  送信電力制御(TPC)情報
512、612  アップリンク
514  高速データチャネル、HSDPAチャネル
608、610  TPC情報、ダウンリンクTPC情報
614  高速データチャネル、ダウンリンクデータ
616  第2のダウンリンクストリーム、ダウンリンク
704  セル1、サービングセル
706、806  セル2
710  RRCメッセージ
712、812  RRCアクティブセット更新メッセージ
714、814  第2のRRC測定レポートメッセージ
716  RRCトランスポートチャネル再構成要求メッセージ
804  セル1
810  RRC測定レポートメッセージ
816  物理(PHY)層指示
【図１】
2013502172.tif 000003
【図２】
2013502172.tif 000004
【図３】
2013502172.tif 000005
【図４】
2013502172.tif 000006
【図５】
2013502172.tif 000007
【図６】
2013502172.tif 000008
【図７】
2013502172.tif 000009
【図８】
2013502172.tif 000010
【図９】
2013502172.tif 000011
【国際調査報告】
2013502172.tif 000012
2013502172.tif 000013
2013502172.tif 000014